(57)【要約】【課題】  小物商品の取り扱いが容易であり、かつ、汁気が流れて衣類を汚すことなく使用できること。【解決手段】  平坦な底面２１及びその周囲に底面２１から１０ｃｍ以下の長辺側の立上がり面２２，２３及び短辺側の立上がり面２４，２５を有し、底面２１の四隅には底面２１と略平行なコーナ面２６，２７，２８，２９を形成し、かつ、対向する立上がり面２２，２３または立上がり面２４，２５には一対の括れ部３１，３２を形成されているものである。【選択図】    図１
2005320044.tif 000002
【特許請求の範囲】
【請求項１】
上面が開口し、複数のスリット孔が設けられた側面及び側面の下端に形成された底面で形成された略長方形状の合成樹脂製の籠体、前記籠体の開口縁に設けられた手提げ用の把手とからなる買い物籠に収容され、平坦な底面及びその周囲に前記底面から１０ｃｍ以下の立上がり面を有し、少なくとも、前記底面の隅には、前記底面と略平行なコーナ面を形成し、かつ、対向する立上がり面には、前記底面側に入り込んだ括れ部を形成されていることを特徴とする買い物籠用トレー。
【請求項２】
前記底面側に入り込んだ括れ部を形成した対向する立上がり面は、短辺側に形成したことを特徴とする請求項１に記載の買い物籠用トレー。
【請求項３】
上面が開口し、複数のスリット孔が設けられた側面及び側面の下端に形成された底面で形成された略長方形状の合成樹脂製の籠体と、
前記籠体の開口縁に設けられた手提げ用の把手と、
前記籠体に収容され、平坦な底面及びその周囲に前記底面から１０ｃｍ以下の立上がり面を有し、少なくとも、前記底面の隅には、前記底面と略平行なコーナ面を形成し、かつ、対向する立上がり面には、前記底面側に入り込んだ括れ部を形成されている買い物籠用トレーと
を具備することを特徴とするトレー付買い物籠。
【発明の詳細な説明】
【技術分野】
【０００１】
本発明は、個人の買い物籠として、またはスーパーマーケット等の店内用の買い物籠としても使用できる買い物籠に取付ける買い物籠用トレー及びトレー付買い物籠に関するものである。
【背景技術】
【０００２】
スーパーマーケット、コンビニエンスストアーのような小売店で買い物をする人は、買いたい品物を買い物籠に収容してレジカウンタまで持ち運んでいる。必要に応じて、ショッピングカートや、ワゴンが使用されている。
【０００３】
レジカウンタまで持ち運ばれた買い物籠は、買い物籠から購入希望の商品を取出し、その購入希望の品物をレジスタを通して、他の買い物籠に移し替え、計算済みの商品と計算前の商品との区別を行っている。
【０００４】
ここで購入商品を分別して、購入しようとする買い物籠には、特許文献１に掲載の技術思想がある。
【０００５】
即ち、既製の買い物籠の内部に収納可能な三角形状、四角形状、半円形状の特定形状の買い物籠用仕分分別棚と、前記買い物籠用仕分分別棚を既製買い物籠の開口部縁周に着脱可能に取付ける固定係止部とを備え、混在収納に適さない食品を異なる位置に別納し、それらを保護するものである。
【特許文献１】特開２００３−２２１０３８号公報
【発明の開示】
【発明が解決しようとする課題】
【０００６】
ところが、特許文献１の技術思想では、既製の買い物籠の内部に収納可能な三角形状、四角形状、半円形状の特定形状の仕分分別棚を、上面の開口部に配設するものであるから、この仕分分別棚のために、買い物籠が重ね置きできなくなったり、仕分分別棚が紛失したりし、現実的には、機能していない。
【０００７】
殊に、小物商品のみならず、アイスクリーム、お寿司、さしみ、冷凍食品等の保冷食品は、人が直接包装に触れることさえも好ましくなかった。また、惣菜物には、汁が流れ出すものもあり、買い物客の衣類を汚す可能性もあった。
【０００８】
そこで、本発明は、小物商品の取り扱いが容易であり、かつ、汁気が流れて衣類を汚すことなく使用できる買い物籠用トレー及びトレー付買い物籠の提供を課題とするものである。
【課題を解決するための手段】
【０００９】
請求項１にかかる買い物籠用トレーは、上面が開口し、複数のスリット孔が設けられた側面及び側面の下端に形成された底面で形成された略長方形状の合成樹脂製の籠体と、前記籠体の開口縁に設けられた手提げ用の把手とからなる買い物籠に収容され、平坦な底面及びその周囲に前記底面から１０ｃｍ以下の立上がり面を有し、少なくとも、前記底面の隅には、前記底面と略平行なコーナ面を形成し、かつ、対向する立上がり面には、前記底面側に入り込んだ括れ部を形成されているものである。
【００１０】
ここで、上面が開口し、複数のスリット孔が設けられた側面及び側面の下端に形成された底面で形成された略長方形状の合成樹脂製の籠体は、公知の買い物籠の基本的構造であり、本発明を実施する場合には、籠体として特殊な形態を前提とするものではない。
【００１１】
また、前記籠体の開口縁に設けられた手提げ用の把手は、金属製または合成樹脂、木製等材質を問うものではない。
【００１２】
そして、前記買い物籠用トレーの平坦な底面及びその周囲に前記底面から１０ｃｍ以下の立上がり面は、厳格に１０ｃｍを規定するものではなく、数ｃｍの違いには影響がない。即ち、１０ｃｍ以下の立上がり面は、最小限度で２〜５ｍｍ程度の立上がり面であっても、小物商品は買い物籠用トレーと同時に取出しができるから、その取り扱いが容易となり、かつ、汁気が流れて衣類を汚すことなく使用できる寸法であればよい。
【００１３】
更に、少なくとも、底面の隅に形成した前記底面と略平行なコーナ面は、前記立上がり面と同様、厳格に１０ｃｍを規定するものではなく、数ｃｍの違いには影響がない。即ち、底面の四隅に形成したコーナ面は、買い物籠を複数個重ね置きするとき、効率のよい積載ができるようにする寸法であり、それ以上にすると積載の結合距離が短くなり、不安定となる。また、ショッピングカートやワゴンに取付けた場合には、２個重ね置きして積載することにより、下側の買い物籠には、１０ｃｍ以下の空間が形成され、そこに入れたアイスクリーム、お寿司、さしみ、卵、豆腐、パン等に外力を加えないようにすることができる。勿論、最小限度で２〜５ｍｍ程度の立上がり面であっても、小物商品は買い物籠用トレーと同時に取出しができるから、その取り扱いが容易である。
【００１４】
更にまた、前記括れ部は、対向する立上がり面の前記底面側、即ち、底面中央側に入り込んで形成されており、前記括れ部によって買い物籠用トレーの安定した取出しができるものであり、バランスのよい位置であれば、どこに形成してもよく、また、その形状も問われるものではない。
【００１５】
請求項２にかかる買い物籠用トレーは、前記底面側に入り込んだ括れ部を形成した対向する立上がり面は、短辺側に形成したものである。
【００１６】
請求項３にかかるトレー付買い物籠は、上面が開口し、複数のスリット孔が設けられた５面で形成された略長方形状の合成樹脂製の籠体と、前記籠体の開口縁に設けられた手提げ用の把手と、前記籠体に収容され、平坦な底面及びその周囲に前記底面から１０ｃｍ以下の立上がり面を有し、少なくとも、前記底面の隅には、前記底面と略平行なコーナ面を形成し、かつ、対向する立上がり面には、前記底面側に入り込んだ括れ部を形成されている買い物籠用トレーとを具備するものである。
【００１７】
ここで、上面が開口し、複数のスリット孔が設けられた側面及び側面の下端に形成された底面で形成された略長方形状の合成樹脂製の籠体は、公知の買い物籠の基本的構造であり、本発明を実施する場合には、籠体として特殊な形態を前提とするものではない。
【００１８】
また、前記籠体の開口縁に設けられた手提げ用の把手は、金属製または合成樹脂、木製等材質を問うものではない。
【００１９】
そして、前記買い物籠用トレーの平坦な底面及びその周囲に前記底面から１０ｃｍ以下の立上がり面は、厳格に１０ｃｍを規定するものではなく、数ｃｍの違いには影響がない。即ち、１０ｃｍ以下の立上がり面は、最小限度で２〜５ｍｍ程度の立上がり面であっても、小物商品は買い物籠用トレーと同時に取出しができるから、その取り扱いが容易となり、かつ、汁気が流れて衣類を汚すことなく使用できる。
【００２０】
更に、少なくとも、底面の隅に形成した前記底面と略平行なコーナ面は、前記立上がり面と同様、厳格に１０ｃｍを規定するものではなく、数ｃｍの違いには影響がない。即ち、底面の隅に形成したコーナ面は、買い物籠を複数個重ね置きするとき、効率のよい積載ができるようにする寸法であり、それ以上にすると積載の結合距離が短くなり、不安定となる。また、ショッピングカートやワゴンに取付けた場合には、２個重ね置きして積載することにより、下側の買い物籠には、１０ｃｍ以下の空間が形成され、そこに入れたアイスクリーム、お寿司、さしみ、卵、豆腐、パン等に外力を加えないようにすることができる。勿論、最小限度で２〜５ｍｍ程度の立上がり面であっても、小物商品は買い物籠用トレーと同時に取出しができるから、その取り扱いが容易である。
【００２１】
更にまた、前記括れ部は、対向する立上がり面の前記底面側、即ち、底面中央側に入り込んで形成されており、前記括れ部によって買い物籠用トレーの安定した取出しができるものであり、バランスのよい位置であれば、どこに形成してもよく、また、その形状も問われるものではない。
【発明の効果】
【００２２】
請求項１にかかる買い物籠用トレーは、略長方形状の合成樹脂製の籠体に収容され、平坦な底面及びその周囲に前記底面から１０ｃｍ以下の立上がり面を有し、少なくとも、前記底面の隅には、前記底面と略平行なコーナ面を形成し、かつ、対向する立上がり面には、前記底面側に入り込んだ括れ部を形成されているものである。
【００２３】
したがって、買い物籠用トレーの平坦な底面及びその周囲に前記底面から１０ｃｍ以下の立上がり面は、例え、最小限度で２〜５ｍｍ程度の立上がり面であっても、小物商品は買い物籠用トレーと同時に取出しができるから、その取り扱いが容易となり、かつ、惣菜等を入れても汁気が流れて衣類を汚すことなく使用できる。また、底面の隅に形成した前記底面と略平行なコーナ面は、買い物籠を複数個重ね置きするとき、効率のよい積載ができるようにするものであり、１５ｃｍ以上にすると積載の結合距離が短くなり、不安定となる。かつ，ショッピングカートやワゴンに取付けた場合には、複数個重ね置きして積載することにより、下側の買い物籠には、１０ｃｍ以下の空間が形成され、そこに入れたアイスクリーム、お寿司、さしみ、卵、豆腐、パン等に外力を加えないようにすることができる。最小限度で２〜５ｍｍ程度の立上がり面であっても、小物商品は買い物籠用トレーと同時に取出しができるから、その取り扱いが容易である。そして、対向する立上がり面の前記底面側に入り込んで形成されている括れ部は、買い物籠用トレー及び購入した商品を一括して安定した取出しができる。
【００２４】
請求項２にかかる買い物籠用トレーは、前記底面側に入り込んだ括れ部を形成した対向する立上がり面は、短辺側に形成したものであるから、請求項１に記載の効果に加えて、より買い物籠用トレーの取出しが安定する。
【００２５】
請求項３にかかるトレー付買い物籠は、略長方形状の合成樹脂製の籠体に収容され、平坦な底面及びその周囲に前記底面から１０ｃｍ以下の立上がり面を有し、少なくとも、前記底面の隅には、前記底面と略平行なコーナ面を形成し、かつ、対向する立上がり面には、前記底面側に入り込んだ括れ部を形成されているものである。
【００２６】
したがって、買い物籠用トレーの平坦な底面及びその周囲に前記底面から１０ｃｍ以下の立上がり面は、例え、最小限度で２〜５ｍｍ程度の立上がり面であっても、小物商品は買い物籠用トレーと同時に取出しができるから、その取り扱いが容易となり、かつ、惣菜等を入れても汁気が流れて衣類を汚すことなく使用できる。また、底面の隅に形成した前記底面と略平行なコーナ面は、買い物籠を複数個重ね置きするとき、効率のよい積載ができるようにするものであり、但し、１５ｃｍ以上にすると積載の結合距離が短くなり、不安定となる。かつ、ショッピングカートやワゴンに取付けた場合には、複数個重ね置きして積載することにより、下側の買い物籠には、１０ｃｍ以下の空間が形成され、そこに入れたアイスクリーム、お寿司、さしみ、卵、豆腐、パン等に外力を加えないようにすることができる。最小限度で２〜５ｍｍ程度の立上がり面であっても、小物商品は買い物籠用トレーと同時に取出しができるから、その取り扱いが容易である。そして、対向する立上がり面の前記底面側に入り込んで形成されている括れ部は、買い物籠用トレー及び購入した商品を一括して安定した取出しができる。
【発明を実施するための最良の形態】
【００２７】
［実施の形態］
次に、本発明にかかる実施の形態の買い物籠用トレー及びトレー付買い物籠について、図を用いて説明する。
【００２８】
図１（ａ）は本発明の実施の形態の買い物籠用トレーの斜視図であり、図１（ｂ）はその切断線Ａ−ＡによるＡ−Ａ断面図、図１（ｃ）はその切断線Ｂ−ＢによるＢ−Ｂ断面図、また、図２は本発明の実施の形態の買い物籠用トレーを買い物籠に装着する前の斜視図、図３は本発明の実施の形態の買い物籠用トレーを買い物籠に装着した後の斜視図である。図４は本発明の実施の形態の買い物籠用トレーを買い物籠に装着したものを積載した状態の斜視図、図５は本発明の実施の形態の買い物籠用トレーを買い物籠に装着したものを積載した状態の中央横端面図である。
【００２９】
図において、本実施の形態の買い物籠用トレー２０は、上面７が開口し、複数の丸穴、長孔等からなるスリット孔が設けられた長辺側の側面２，３と、同様に複数の丸穴、長孔等からなるスリット孔が設けられた短辺側の側面４，５、及び必要に応じて、複数の丸穴、長孔等からなるスリット孔が設けられ、または単に板状とした側面２，３，４，５の下端に形成された底面６で形成された略長方形状の合成樹脂製の籠体１と、籠体１の開口縁に設けられた２本の手提げ用の把手９とからなる公知の買い物籠１０に収容されるものである。なお、買い物籠１０の底面６には少なくとも４隅に脚８が形成されている。この脚８は枠状に形成されるものもある。
【００３０】
本実施の形態の買い物籠用トレー２０には、板状の平坦な底面２１及びその周囲に前記底面２１から１０ｃｍ以下、通常１〜２ｃｍ程度の側面となる長辺側の立上がり面２２，２３及び短辺側の立上がり面２４，２５を有している。この長辺側の立上がり面２２，２３及び短辺側の立上がり面２４，２５は、底面２１から略直角に立上がっていてもよいし、傾斜して或いは彎曲して立上がってもよい。この立上がり高さは数ｍｍ程度以上あればよい。即ち、小物商品を取り出す場合には、立上がり高さが高いほうが望ましいが、汁物の漏れからすれば、２ｍｍから３ｍｍ程度以上あれば十分に機能する。また、小物商品が筒状であったとしても、立上がり高さは数ｍｍ程度以上あれば容易に落下しないことも確認された。なお、本実施の形態では、上端を外側に彎曲させて見栄えをよくし、かつ、角をなくすことにより、袋物に傷を付け難くしているが、本発明を実施する場合には、長辺側の立上がり面２２，２３及び短辺側の立上がり面２４，２５の上端の処理を問うものではない。
【００３１】
また、長辺側の立上がり面２２，２３及び短辺側の立上がり面２４，２５の立上がり高さを利用して、少なくとも、底面２１の四隅には、底面２１と略平行なコーナ面２６，２７，２８，２９を形成している。本実施の形態のコーナ面２６，２７，２８，２９は、その成形のし易さから、底面２１の中心方向側に１ｃｍから３ｃｍ程度入り込むように成形されている。底面２１の中心方向側に１ｃｍから３ｃｍ程度入り込んだ距離、面積が底面２１と略平行なコーナ面２６，２７，２８，２９を形成している。したがって、買い物籠用トレー２０の全体の成形においては、板材から形成することが容易になっている。
【００３２】
対向する立上がり面２４と立上がり面２５には、その中央位置に１ｃｍから２ｃｍ程度底面２１の中央方向側に入り込んだ括れ部３１及び括れ部３２が形成されている。この括れ部３１及び括れ部３２は、２本または３本の指で買い物籠用トレー２０の全体及びそれに載せた商品を取り出せるだけの力が加わるような構造または形状であればよい。
【００３３】
このような構造を有する買い物籠用トレー２０は、その底面２１の下面が、買い物籠１０の底面６の上面に載置されるように、その大きさが決定されている。また、全体の形状は、買い物籠１０の周囲と側面２，３，４，５との間に数ｍｍ程度の間隔が形成される程度の寸法に形成される。
【００３４】
この買い物籠用トレー２０は、通常、合成樹脂の板材を成形したり、直接射出成形によって形成される。
【００３５】
このように形成された買い物籠用トレー２０は、図２に示すように、買い物籠１０の開口する上面７から底面６に、その底面２１の下面を重ね合わせるように載置する。
【００３６】
このようにして買い物籠用トレー２０を載置するだけで買い物籠１０を使用することができる。
【００３７】
したがって、買い物籠用トレー２０の平坦な底面２１及びその周囲に前記底面２１から１０ｃｍ以下の長辺側の立上がり面２２，２３及び短辺側の立上がり面２４，２５からなる立上がり面２２，２３，２４，２５は、例え、最小限度で２〜５ｍｍ程度の立上がり面２２，２３，２４，２５であったとしても、小物商品は買い物籠用トレー２０と同時に取出しができるから、その取り扱いが容易となる。また、低温度にある商品、蛤や浅蜊、惣菜等を入れても、仮に、その汁気が流れだしても、買い物籠１０を伝ったり、その下に滴下したりして衣類を汚すことなく使用できる。
【００３８】
そして、買い物籠用トレー２０の底面２１の四隅に形成した底面２１と略平行なコーナ面２６，２７，２８，２９は、買い物籠１０を複数個重ね置きするとき、買い物籠１０の底面６の脚８がそのコーナ面２６，２７，２８，２９の上に載るから、買い物籠１０の側面２，３，４，５に外力が加わらない。したがって、従来のように、買い物籠１０の側面２，３，４，５が弾性変形して、１個のみ取上げたのに２個ついてきてしまうという問題が解消され、買い物籠１０の積載が取り扱い易くなる。
【００３９】
更に、コーナ面２６，２７，２８，２９は、底面２１と略平行としたものであるが、買い物籠１０の底面６の脚８が安定して載ることのできる傾きであれば、その存在を否定するものではない。また、必ずしも、コーナ面２６，２７，２８，２９は、底面２１の四隅に必要とするものではなく、全周に形成してもよく、また、底面２１の三隅または２隅と中央であってもよい。
【００４０】
本実施の形態では、買い物籠用トレー２０の平坦な底面２１からの長辺側の立上がり面２２，２３及び短辺側の立上がり面２４，２５は、通常１〜２ｃｍ程度を前提とする説明をしたが、本発明を実施する場合には、平坦な底面２１の周囲に底面２１から１０ｃｍ以下の立上がり面を有しておればよい。即ち、１５ｃｍ以上にすると買い物籠１０の積載の結合距離が短くなり、不安定となり好ましくない。
【００４１】
しかし、ショッピングカートやワゴンに買い物籠１０を載せた場合には、複数個重ね置きして積載することにより、下側の買い物籠には、１０ｃｍ以下の空間が形成され、そこに入れたアイスクリーム、お寿司、さしみ、卵、豆腐、パン等に商品の重み、外力を加えないようにすることができる。
【００４２】
逆に、買い物籠用トレー２０の平坦な底面２１からの長辺側の立上がり面２２，２３及び短辺側の立上がり面２４，２５は、最小限度で２〜５ｍｍ程度の立上がり面であったとしても、小物商品は買い物籠用トレー２０と同時に取出しができるから、その取り扱いが容易である。また、蛤や浅蜊、惣菜等を入れて、仮に、その汁気が流れだしても、買い物籠１０を伝ったり、その下に滴下したりして衣類を汚すことなく使用できる。
【００４３】
対向する短辺側の立上がり面２４と立上がり面２５の底面２１側の中央方向に向かって入り込んで形成されている括れ部３１，３２は、買い物籠用トレー２０及び購入した商品を一括して安定した取出しができる構造であればよい。勿論、長辺側の立上がり面２２，２３に設けてもよい。しかし、短辺側に設けるとバランスがとり易くなり、安定している。この括れ部３１，３２は、対向する立上がり面２４，２５または立上がり面２６，２７に一対形成するのが望ましいが、一方のみに形成してもよい。
【００４４】
上記実施の形態の買い物籠用トレー２０は、上面７が開口し、複数のスリット孔が設けられた長辺側の側面２，３及び短辺側の側面４，５からなる側面２，３，４，５と、側面２，３，４，５の下端に形成された底面６とで形成された略長方形状の合成樹脂製の籠体１と、籠体１の開口縁付近に設けられた手提げ用の把手９とからなる買い物籠１０に収容されるものであって、平坦な底面２１及びその周囲に底面２１から１０ｃｍ以下の長辺側の立上がり面２２，２３及び短辺側の立上がり面２４，２５からなる立上がり面２２，２３，２４，２５を有し、少なくとも、底面２１の四隅には、底面２１と略平行なコーナ面２６，２７，２８，２９を形成し、かつ、対向する立上がり面２２，２３または立上がり面２４，２５には、前記底面２１側に入り込んだ一対の括れ部３１，３２を形成されているものである。
【００４５】
したがって、買い物籠用トレー２０の平坦な底面２１及びその周囲に底面２１から１０ｃｍ以下の立上がり面２２，２３，２４，２５は、小物商品は買い物籠用トレー２０と同時に取出しができるから、その取り扱いが容易となり、かつ、惣菜等を入れても汁気が流れて衣類を汚すことなく使用できる。また、底面２１の四隅に形成したコーナ面２６，２７，２８，２９は、買い物籠１０を複数個重ね置きするとき、効率よく、安定した積載ができる。そして、対向する立上がり面２２，２３または立上がり面２４，２５の底面２１側に入り込んで形成されている括れ部３１，３２は、買い物籠用トレー２０及び購入した商品を一括して安定した取出しができる。
【００４６】
上記買い物籠用トレー２０は、底面２１側に入り込んだ括れ部３１，３２を形成した対向する立上がり面２３，２４，２５，２６は、短辺側に形成したものであるから、商品が乗っている場合でも、より買い物籠用トレー２０の取出しが安定する。
【００４７】
ところで、上記買い物籠用トレー２０は、買い物籠１０に取付けた状態でトレー付買い物籠とすることができる。即ち、上面７が開口し、複数のスリット孔が設けられた長辺側の側面２，３及び短辺側の側面４，５からなる側面２，３，４，５と、側面２，３，４，５の下端に形成された底面６で形成された略長方形状の合成樹脂製の籠体１と、籠体１の開口縁付近に設けられた手提げ用の把手７と、籠体１に収容され、平坦な底面２１及びその周囲に底面２１から１０ｃｍ以下の長辺側の立上がり面２２，２３及び短辺側の立上がり面２４，２５からなる立上がり面２２，２３，２４，２５を有し、少なくとも、底面２１の四隅には、底面２１と略平行なコーナ面２６，２７，２８，２９を形成し、かつ、対向する立上がり面２２，２３，２４，２５には、底面２１側に入り込んだ括れ部３１，３２を形成されている買い物籠用トレー２０とを具備するトレー付買い物籠の発明として捉えることができる。
【００４８】
したがって、買い物籠用トレー２０の平坦な底面２１及びその周囲に底面２１から１０ｃｍ以下の立上がり面２２，２３，２４，２５は、小物商品は買い物籠用トレー２０と同時に取出しができるから、その取り扱いが容易となり、かつ、惣菜等を入れても汁気が流れて衣類を汚すことなく使用できる。また、底面２１の四隅に形成した底面２１と略平行なコーナ面２６，２７，２８，２９は、買い物籠１０を複数個重ね置きするとき、効率のよい安定した積載ができる。そして、対向する立上がり面２２，２３，２４，２５の底面２１側に入り込んで形成されている括れ部３１，３２は、買い物籠用トレー２０及び購入した商品を一括して安定した取出しができる。
【産業上の利用可能性】
【００４９】
本発明は、買い物籠用トレー２０及び買い物籠１０に取付けた状態でトレー付買い物籠とする事例で説明したが、本発明を実施する場合には、買い物籠用トレー２０を２段構成としたり、或いは、買い物籠用トレー２０の平坦な底面２１から１０ｃｍ程度の立上がり面２２，２３，２４，２５と底面２１から１ｃｍ程度の立上がり面２２，２３，２４，２５との２種類を用意し、使途に応じて使い分けることもできる。
【００５０】
特に、店舗のみではなく、家庭用として使用する場合には、上記のように、買い物籠用トレー２０の平坦な底面２１から１０ｃｍ程度の立上がり面２２，２３，２４，２５と底面２１から１ｃｍ程度の立上がり面２２，２３，２４，２５との２種類を用意しておくと、購入品について、安全に自動車または自転車で自宅まで運ぶことができる。
【図面の簡単な説明】
【００５１】
【図１】図１（ａ）は本発明の実施の形態の買い物籠用トレーの斜視図であり、図１（ｂ）はその切断線Ａ−ＡによるＡ−Ａ断面図、図１（ｃ）はその切断線Ｂ−ＢによるＢ−Ｂ断面図である。
【図２】図２は本発明の実施の形態の買い物籠用トレーを買い物籠に装着する前の斜視図である。
【図３】図３は本発明の実施の形態の買い物籠用トレーを買い物籠に装着した後の斜視図である。
【図４】図４は本発明の実施の形態の買い物籠用トレーを買い物籠に装着したものを積載した状態の斜視図である。
【図５】図５は本発明の実施の形態の買い物籠用トレーを買い物籠に装着したものを積載した状態の中央横端面図である。
【符号の説明】
【００５２】
１      籠体
２，３，４，５    側面
６      底面
７      上面
９      手提げ用の把手
１０    買い物籠
２０    買い物籠用トレー
２１    底面
２２，２３，２４，２５    立上がり面
２６，２７，２８，２９    コーナ面
３１，３２    括れ部
【図１】
2005320044.tif 000003
【図２】
2005320044.tif 000004
【図３】
2005320044.tif 000005
【図４】
2005320044.tif 000006
【図５】
2005320044.tif 000007